(57)【要約】  捕虫ユニット（１）は、蛍光増白剤（１０３）を含み、紫外線に対して透過性を持つ粘着シート（１０）と、粘着シートを透過した紫外線を反射する反射部材（２０）とを備える。粘着シートは、粘着面（１０１）と、粘着面の反対側にある裏面（１０２）とを備える。反射部材は、粘着シートの裏面に対向している。
2016039390.tif 000002
【特許請求の範囲】
【請求項１】
蛍光増白剤を含み、紫外線に対して透過性を持つ粘着シートと、
前記粘着シートを透過した紫外線を反射する反射部材と
を備え、
前記粘着シートは、
粘着面と、
前記粘着面の反対側にある裏面と
を備え、
前記反射部材は、前記粘着シートの前記裏面に対向している
捕虫ユニット。
【請求項２】
前記粘着シートは、
前記蛍光増白剤を含み、前記紫外線に対して透過性を持つ紙であって、前記粘着シートの基体であるシートを構成する前記紙と、
粘着層と
で構成され、
前記紙は、
前記粘着シートの前記粘着面を形成するための第１面と、
前記粘着シートの前記裏面である第２面と
を備え、
前記粘着層は、前記第１面上にある
請求項１に記載の捕虫ユニット。
【請求項３】
前記反射部材は、アルミニウム部材である
請求項１または２に記載の捕虫ユニット。
【請求項４】
前記反射部材は、アルミニウム箔であり、
前記アルミニウム箔は、前記粘着シートの前記裏面に固定されている
請求項１に記載の捕虫ユニット。
【請求項５】
コーティング層を更に備え、
前記コーティング層は、前記紙の前記第１面と前記粘着層との間にある
請求項２から４のいずれか一に記載の捕虫ユニット。
【請求項６】
前記粘着シートが載る基板と、
前記基板に載っている前記粘着シートを一方向に巻き取るように構成された巻き取り機構と
を更に備え、
前記反射部材は、前記粘着シートと前記基板の間に配置されている
請求項１から５のいずれか一に記載の捕虫ユニット。
【請求項７】
前記基板は、４つの辺を備え、前記４つの辺の内の第１辺と前記第１辺に対向する第２辺とが互いに平行であり、
前記巻き取り機構は、
第１ローラ軸を持つ第１ローラであって、前記第１ローラ軸が前記第１辺に対して平行となるように、前記第１辺に沿って配置されている前記第１ローラと、
第２ローラ軸を持つ第２ローラであって、前記第２ローラ軸が前記第２辺に対して平行となるように、前記第２辺に沿って配置されている前記第２ローラと
を備え、
前記粘着シートは、
第１端部と
前記第１端部と反対側の第２端部と
を備え、
前記第１端部から前記第２端部までの長さは、前記第１ローラから前記第２ローラまでの距離よりも長く、かつ規定長よりも短く、
前記第１端部は、前記第１ローラに固定されており、
前記第２端部は、前記第２ローラに固定されている
請求項６に記載の捕虫ユニット。
【請求項８】
請求項１から７のいずれか一項に記載の捕虫ユニットと、
紫外線を発光する光源と
を備え、
前記粘着シートは、前記光源からの前記紫外線を受光できるように、前記光源と前記反射部材との間に配置されており、
前記光源は、前記粘着シートの前記粘着面を照射する
捕虫器。
【請求項９】
前記光源は、
第１照射方向を持つ第１光源と、
第２照射方向を持つ第２光源と
を含み、
前記第１照射方向は、前記第１光源が前記粘着シートの前記粘着面を照射する方向であり、
前記第２照射方向は、前記第１照射方向と異なる
請求項８に記載の捕虫器。
【請求項１０】
前記光源は、紫外線ＬＥＤ（Light  Emitting  Diode）である
請求項８または９に記載の捕虫器。
【発明の詳細な説明】
【技術分野】
【０００１】
本発明は、捕虫ユニットおよび捕虫器に関する。
【背景技術】
【０００２】
ハエは紫外線に誘引されやすいことが知られている。そこで、その性質を利用した捕虫器が市販されている。例えば、捕虫器は、捕虫紙と、紫外線を発する光源とを備えている。捕虫紙の一面には、粘着剤が塗られている。捕虫紙の粘着面が光源によって照らされると、ハエは、光源からの紫外線に誘引される。その結果、ハエは、捕虫紙に捕虫される。関連技術として、特許文献１−７が挙げられる。【０００３】
特許文献１は、蛍光増白剤を含む害虫防除資材を開示している。【０００４】
特許文献２は、シートの少なくとも一部に印刷が施された捕虫シートを開示している。特許文献２によれば、捕虫シートの印刷面上に粘着剤が塗布されている。印刷面で、３００−４００ｎｍの波長を持つ電磁波が平均的に３５パーセント以上反射される。【０００５】
特許文献３は、基材シートと、着色された積層シートとを有する捕虫シートを開示している。基材シートは、黄色系の蛍光顔料を包含する塗膜を備える。塗膜は、基材シートの一方の面または両面に設けられている。積層シートは、塗膜の上に設けられており、粘着剤の層を備えている。特許文献３によれば、３８０ｎｍの波長を持つ光線で５−３０％の反射率が得られる。５００−５２０ｎｍの波長を持つ光線で６０％以上の最大反射率が得られる。２８０−７００ｎｍの波長を持つ光線の平均反射率が４０パーセント以上である。【０００６】
特許文献４は、蛍光板と、蛍光板の面上に設けられた粘着シートとを備える防虫捕獲シートを開示している。蛍光板は、紫外線の励起によって紫外線または蛍光を発する物質を含んでいる。粘着シートの基材の面上に粘着層が設けられている。【０００７】
特許文献５−７は、捕虫紙および紫外線を利用した捕虫器を開示している。特許文献５は、特許文献４の防虫捕獲シートを捕虫器に適用した例を開示している。特許文献６は、粘着部材の粘着面を光源からの紫外線の光路上に設けることを開示している。引用文献７は、壁に取り付けられる捕虫器を開示している。
【先行技術文献】
【特許文献】
【０００８】
【特許文献１】特開２００３‐７３２１２号公報
【特許文献２】特開２００９‐２４０２４７号公報
【特許文献３】特開平８‐５１９０９号公報
【特許文献４】特開２０１２‐１９７５８号公報
【特許文献５】特開２０１２‐１９７５９号公報
【特許文献６】特開平５‐１６８３８６号公報
【特許文献７】特開平９‐０９８７０２号公報
【発明の概要】
【０００９】
できるだけ多くのハエを効率よく誘引することができる捕虫ユニットおよび捕虫ユニットを備える捕虫器を本発明者は望んでいた。
【００１０】
いくつかの実施の形態における捕虫ユニットは、
蛍光増白剤を含み、紫外線に対して透過性を持つ粘着シートと、
粘着シートを透過した紫外線を反射する反射部材と
を備える。
粘着シートは、
粘着面と、
粘着面の反対側にある裏面と
を備える。
反射部材は、粘着シートの裏面に対向している。
【００１１】
粘着シートは、
蛍光増白剤を含み、紫外線に対して透過性を持つ紙であって、粘着シートの基体であるシートを構成する紙と、
粘着層と
で構成されていてもよい。
紙は、粘着シートの粘着面を形成するための第１面と、粘着シートの裏面である第２面とを備えていてもよい。粘着層は、第１面上にあってもよい。
【００１２】
反射部材は、アルミニウム部材であってもよい。
【００１３】
アルミニウム部材は、アルミニウム箔であってもよい。アルミニウム箔は、粘着シートの裏面に固定されていてもよい。
【００１４】
捕虫ユニットは、コーティング層を更に備えていてもよい。コーティング層は、紙の第１面と粘着層との間にあってもよい。
【００１５】
捕虫ユニットは、
粘着シートが載る基板と、
基板に載っている粘着シートを一方向に巻き取るように構成された巻き取り機構と
を更に備えていてもよい。
反射部材は、粘着シートと基板の間に配置されていてもよい。
【００１６】
基板は、４つの辺を備えていてもよい。基板は、４つの辺の内の第１辺と第１辺に対向する第２辺とが互いに平行であってもよい。
巻き取り機構は、
第１ローラ軸を持つ第１ローラであって、第１ローラ軸が第１辺に対して平行となるように、第１辺に沿って配置されている第１ローラと、
第２ローラ軸を持つ第２ローラであって、第２ローラ軸が第２辺に対して平行となるように、第２辺に沿って配置されている第２ローラと
を備えていてもよい。
粘着シートは、
第１端部と
第１端部と反対側の第２端部と
を備えていてもよい。
第１端部から前記第２端部までの長さは、第１ローラから第２ローラまでの距離よりも長く、かつ規定長よりも短くてもよい。粘着シートは、裏面が反射部材に対向するように、反射部材の上にある。第１端部は、第１ローラに固定されていてもよい。第２端部は、第２ローラに固定されていてもよい。
【００１７】
いくつかの実施の形態における捕虫器は、
上述の捕虫ユニットと、
紫外線を発光する光源と
を備える。
粘着シートは、光源からの紫外線を受光できるように、光源と反射部材との間に配置されている。光源は、粘着シートの粘着面を照射する。
【００１８】
光源は、
第１照射方向を持つ第１光源と、
第２照射方向を持つ第２光源と
を含んでいていてもよい。
第１照射方向は、第１光源が粘着シートの粘着面を照射する方向であってもよい。第２照射方向は、第１照射方向と異なっていてもよい。
【００１９】
光源は、紫外線ＬＥＤ（Light  Emitting  Diode）であってもよい。
【００２０】
できるだけ多くのハエを効率よく誘引することができる捕虫ユニットおよび捕虫ユニットを備える捕虫器を提供することができる。
【図面の簡単な説明】
【００２１】
【図１】図１は、捕虫ユニット１の概略図である。
【図２】図２は、捕虫ユニット１の模式断面図である。
【図３】図３は、捕虫器２の模式図である。
【図４】図４は、捕虫ユニット１Ａの概略図である。
【図５】図５は、捕虫ユニット１Ｂの概略図である。
【図６】図６は、捕虫ユニット１Ｃの概略図である。
【図７】図７は、捕虫ユニット１Ｄの概略図である。
【図８】図８は、捕虫ユニット１の断面図である。
【図９】図９は、捕虫ユニット１の断面図である。
【図１０】図１０は、捕虫ユニット１の断面図である。
【図１１】図１１は、捕虫器２Ａの外観図である。
【図１２】図１２は、捕虫器２Ｂの外観図である。
【図１３】図１３は、図１２に示すＡ−Ａでの横断面図である。
【図１４】図１４は、紫外線ＬＥＤの配置の変形例を示す概略図である。
【図１５】図１５は、捕虫ユニット１Ｅの分解立体図である。
【図１６】図１６は、図１５に示す捕虫ユニット１Ｅの側面図である。
【図１７】図１７は、捕虫器２Ｃの分解立体図である。
【図１８】図１８は、駆動制御部６２の構成例を示すブロック図である。
【図１９】図１９は、捕虫ユニット１Ｆの断面図である。
【発明を実施するための形態】
【００２２】
以下、本発明の実施形態を図面に関連づけて説明する。以下の実施形態において、同一の部材には原則として同一の符号が付されている。符号の添え字は、同種の部材を区別するためのものである。
【００２３】
１．第１の実施の形態
１．１．概要
ハエは、紫外線（例えば、波長：３００ｎｍ以上、４００ｎｍ以下）だけではなく、可視光線にも誘引されやすいことが知られている。可視光線の中でも、青色光（例えば、波長：４００ｎｍ以上、５００ｎｍ以下）が効果的であることが分かってきた。紫外線に加え、青色光が用いられれば、紫外線だけではなく青色光に誘引されるハエも捕虫することができる。つまり、ハエが捕虫される波長帯域が広がる（例えば、波長：３５０ｎｍ以上、５００ｎｍ以下）。そこで、本願発明者は、ハエが捕虫される波長帯域を広げつつ、青色光の照度を上げることに着目した。そして、青色光の照度が高い程、言い換えれば、青色光が明るいほど、ハエは捕虫されやすいと本願発明者は考えた。以下に、青色光の照度を上げる方法について述べる。
【００２４】
（捕虫ユニット）
図１は、捕虫ユニット１の概略図である。図１に示すように、捕虫ユニット１は、粘着シート１０と、反射部材２０とを備える。粘着シート１０は、粘着面１０１と、裏面１０２とを備える。裏面１０２は、粘着面１０１の反対側の面である。なお、捕虫ユニットは、後述の捕虫器を構成する交換部品の一つであって、「カートリッジ」とも呼ばれる。
【００２５】
粘着シート１０は、ハエを捕捉する役割を持つ。粘着シート１０は、蛍光増白剤を含んでおり、紫外線に対して透過性を持つ。粘着シート１０の形状は、任意であって、正方形でもよいし、多角形でもよい。図１は、長方形の粘着シート１０を例示している。粘着面１０１は、粘着剤が塗布された面であって、粘着シート１０の全面にわたって存在する。粘着剤は、粘着面１０１に止まったハエを捕捉することができる粘性を持っている。なお、ハエは、飛来昆虫の一例である。飛来昆虫は、例えば、蛾であってもよい。
【００２６】
反射部材２０は、紫外線を反射することができる部材である。反射部材２０は、粘着シート１０の裏面１０２に対向する位置に配置されている。簡単に言えば、反射部材２０は、粘着シート１０の下に配置されている。反射部材２０は、粘着シート１０を透過した紫外線の一部を受け、受けた紫外線を粘着シート１０へ反射する。図１の例では、反射部材２０の形状および大きさは、粘着シート１０と同じである。また、反射部材２０の表面２０１が粘着シート１０の裏面１０２全体に軽く接触している。両者は固定されていてもよい。
【００２７】
粘着シート１０に含まれる蛍光増白剤は、紫外線を受けると、その紫外線を励起して、可視光線を発光する性質を持つ。可視光線は、具体的には、青色光である。言い換えれば、粘着シート１０は、紫外線が蛍光増白剤と相互作用することにより、照射された紫外線を青色光に変換する。
【００２８】
図２は、捕虫ユニット１の模式断面図である。図２の説明は、理解の促進を図るために単純化されたものであることに留意されたい。
【００２９】
外部から紫外線が粘着シート１０の粘着面１０１に照射される。照射された紫外線は、大別して、次の２つの過程をたどる。一つ目は、照射された紫外線の内、一部の紫外線ＵＶ１が、粘着シート１０の蛍光増白剤１０３と相互作用する過程である（過程１）。二つ目は、一部の紫外線ＵＶ２が、粘着シート１０を透過する過程である（過程２）。
【００３０】
過程１では、紫外線ＵＶ１は、蛍光増白剤１０３との相互作用によって、青色光Ｂ１に変換される。図２の例では、蛍光増白剤１０３が模式的に円で表現されている。その青色光Ｂ１は、粘着シート１０の上方へ放射される。
【００３１】
一方、過程２では、紫外線ＵＶ２は、粘着シート１０を透過して、反射部材２０の表面（反射面）２０１で反射される。反射された紫外線ＵＶ２は、再び粘着シート１０の内部に入射される。その後、紫外線ＵＶ２は、過程１と同様に、青色光Ｂ２に変換される。過程２が発生するためには、粘着シート１０が蛍光増白剤を含んでいればよく、かつ紫外線に対して透過性を持っていればよい。
【００３２】
反射部材２０が設けられていない場合、過程２は存在しない。この場合、粘着シート１０から放射される青色光は、図２に示す青色光Ｂ１だけである。これに対し、反射部材２０が設けられている場合、過程１に加えて、過程２が存在する。この場合、粘着シート１０から放射される青色光は、図２に示すように、青色光Ｂ１に加え、青色光Ｂ２で構成される。つまり、反射部材２０が設けられている場合、粘着シート１０から放射される青色光の照度は、反射部材２０がない場合の照度と比べて高い。なお、「照度（明るさ）」は、厳密な物理量を指すだけではなく、心理的な物理量（人間が感じる明るさの度合い）を指していてもよい。図２の説明では、蛍光増白剤と相互作用する紫外線について着目した。無論、蛍光増白剤と相互作用しない紫外線が存在していてもよい。
【００３３】
上述のように、粘着シート１０の下に反射部材２０が配置されている。そのため、粘着シート１０に紫外線が照射されたとき、反射部材２０によって反射された紫外線の一部が青色光として粘着シート１０の外部へ放射される。その結果、反射部材２０が設けられていない場合と比べると、粘着シート１０から放射される青色光の照度が上がる。また、反射部材２０によって粘着シート１０から紫外線自体も放射されているので、ハエが誘引される波長帯域が広がる。つまり、ハエが捕虫される波長帯域を広げつつ、青色光の照度を上げることができる。その結果、より多くのハエを誘引することができる。
【００３４】
（捕虫器）
図３は、捕虫器２の模式図である。捕虫器２は、捕虫ユニット１と、光源３０とを備える。光源３０は、紫外線を発光する。光源３０は、粘着シート１０の上方に配置されており、紫外線ＵＶを粘着シート１０の粘着面１０１に照射する。言い換えれば、粘着シート１０は、光源３０からの紫外線ＵＶを受光できるように、光源３０と反射部材２０との間に配置されている。紫外線ＵＶの波長は、例えば、３００ｎｍ以上、４００ｎｍ以下である。光源３０の数は、複数であってもよい。この場合、複数の光源３０が等間隔で配置されることが望ましい。それは、粘着シート１０の粘着面１０１を均一に照射するためである。
【００３５】
（捕虫器２の動作）
捕虫器２の動作時には、光源３０が紫外線ＵＶを粘着シート１０の粘着面１０１に照射する。その結果、上述の通り、粘着シート１０が紫外線ＵＶを青色光に変換する。そして、その青色光は、粘着シート１０の上方に放射される。このとき、紫外線も放射される。捕虫器２の周囲を飛んでいるハエは、取り分け、その青色光に誘引されやすい。その青色光に誘引されたハエは、粘着シート１０の粘着面１０１にとまる。このことにより、ハエが捕虫される。一定数（任意）以上のハエが捕虫されたとき、または定期的に、人手によって、粘着シート１０が新しい粘着シートに交換される。
【００３６】
捕虫器２の効果について述べる。捕虫器２は、放射される青色光の照度が非常に高い捕虫ユニット１を備えている。このことにより、紫外線だけではなく、より照度の高い青色光を利用してハエを誘引することができる。つまり、より多くのハエを効率よく誘引することができる捕虫器が提供される。この他、次の副次的な効果も得られる。人目には、青色光の照度が高い程、捕虫器２の捕虫能力が高いと映りやすい。したがって、視覚的に、捕虫器２の捕虫能力を第三者に説明しやすいという利点がある。
【００３７】
１．２．第１の変形例
図４は、捕虫ユニット１Ａの概略図である。図４に示すように、粘着シート１０が反射部材２０からわずかに離間している。つまり、両者の間にわずかな隙間がある。青色光の照度を上げるという観点から、反射部材２０の表面２０１から粘着シート１０の裏面１０２までの距離は、例えば、１ｍｍ以下であることが望ましい。また、粘着シート１０の全面が反射部材２０から離間しているのではなく、粘着シート１０の一部が反射部材２０から離間していてもよい。
【００３８】
１．３．第２の変形例
図５は、捕虫ユニット１Ｂの概略図である。図５に示す捕虫ユニット１Ｂの場合、反射部材２０の大きさが粘着シート１０のものよりも大きい。この場合、粘着シート１０および反射部材２０が互いに対向している領域において、粘着シート１０から放射される青色光の照度を上げることができる。
【００３９】
１．４．第３の変形例
図６は、捕虫ユニット１Ｃの概略図である。図６に示す捕虫ユニット１Ｃは、粘着シート１０に複数の孔部１０４を備える。そのため、複数の孔部１０４の各々では、反射部材２０が露出している。各孔部１０４の形状は、任意である。図６の例では、各孔部１０４の形状は、円形である。各孔部１０４の配置パターンも、任意である。図６の例では、各孔部１０４が、一定間隔で配置されている。
【００４０】
なお、第３の変形例では、次の事に留意されたい。各孔部１０４では、粘着シート１０がないため、青色光が発生しない。その結果、発生する青色光の照度は下がる。この観点から、各孔部１０４の大きさは、できるだけ小さく、孔部１０４の数も、できるだけ少ない方が望ましい。
【００４１】
１．５．第４の変形例
図７は、捕虫ユニット１Ｄの概略図である。図７に示すように、粘着シート１０の粘着面１０１に、複数のマークが印刷されている。図７の例では、複数のマークの各々は、「ハエ」を表している。複数のマークが印刷される位置は、任意である。一般的に、ハエは自身と同じ形状のマークに誘引されるという性質がある。そのため、ハエの捕虫効率が更に高まる。無論、ハエが誘引されやすいマークであれば、他のマークでも差支えはない。
【００４２】
１．６．捕虫ユニット
上述の捕虫ユニット１を詳細に説明する。図８は、捕虫ユニット１の断面図である。捕虫ユニット１は、次の２つの点で、図１に示す捕虫ユニット１と異なる。一つ目は、粘着シート１０の構成である。二つ目は、反射部材２０の素材である。
【００４３】
（粘着シート）
図８に示すように、粘着シート１０は、紙１１と、粘着層１２とで構成されている。紙１１は、粘着シート１０の基体であるシートを構成している。紙１１は、表面１１１と、裏面１１２とを備える。表面１１１は、第１面とも呼ばれ、図１に示す粘着シート１０の粘着面１０１を形成するための面である。裏面１１２は、第２面とも呼ばれ、図１に示す粘着シート１０の裏面１０２である。紙１１の裏面１１２は、後述のように、アルミニウム部材２０ａの反射面２０１ａに接している。
【００４４】
紙１１について述べる。第１に、紙１１は、蛍光増白剤を包含している。蛍光増白剤の材料としては、ビススチルベンジスルホン酸誘導体やビススチルビフェニルが挙げられる。第２に、紫外線が紙１１を透過するように、紙１１は、例えば、６０以上、１００ｇ／ｍ２以下の坪量を持つ。なお、紙１１の色は、例えば、白である。その理由は、白色の紙に紫外線が照射された場合、黒色の紙（例示）に紫外線が照射された場合よりも多くの紫外線を放出するためである。白色度は、例えば、８０％以上であればよい。
【００４５】
粘着層１２は、紙１１の表面１１１の上層にある。粘着層１２の表面１２１が粘着シート１０の粘着面１０１（図１参照）に相当する。粘着層１２の主成分は、例えば、ポリブデンである。粘着層１２の主成分は、ポリブデンと同様の性質を持っていれば、他の材料であってもよい。
【００４６】
図９は、捕虫ユニット１の断面図である。図９の例では、粘着層１２が紙１１の上層にある。したがって、紙１１という素材の性質上、粘着層１２の成分が紙１１に浸透しやすい。その結果、紙１１の強度が弱まる。そこで、粘着層１２の成分が紙１１の表面１１１から紙１１の裏面１１２へ浸透しないように、紙１１の表面１１１がコーティングされている。そのため、紙１１の表面１１１と粘着層１２との間に薄いコーティング層１３が設けられている。紙１１の強度を更に上げるため、紙１１の裏面１１２が更にコーティングされていてもよい。
【００４７】
あるいは、紙１１の退色または劣化を防ぐために、紙１１の表面１１１と粘着層１２との間にコーティング層１３を設けてもよい。この場合、コーティング層１３は、紫外線に対して耐光性を持つ素材で形成されていればよい。紙１１は、紫外線にさらされた場合、退色または劣化しやすい。その結果、青色光の照度が下がる。コーティング層１３を設けることにより、青色光の照度の低下を抑制することができる。なお、コーティング層１３の替わりに、紙１１の表面１１１に耐光性インクが塗布されていてもよい。この場合、耐光性インクは、紫外線から紙１１を防御することができる成分を含有するインクであればよい。また、技術的な矛盾が起こらない限り、粘着層１２の成分の浸透を抑制しつつ、紫外線を防御するために、紙１１の表面１１１に種々の部材（素材）を設けることもできる。例えば、耐光性インクが塗布された紙１１の表面１１１に、図９に示すコーティング層１３が設けられていてもよい。
【００４８】
以下、図９に示すように、コーティング層１３が設けられている場合を例に挙げる。なお、コーティング層１３の図示は適宜省略される。
【００４９】
（反射部材）
図９に示すように、捕虫ユニット１は、粘着シート１０に加え、アルミニウム部材２０ａを備える。アルミニウム部材２０ａは、反射部材２０の一例である。アルミニウム部材２０ａは、紙１１に接している反射面２０１ａと、反射面２０１ａの反対側にある裏面２０２ａとを備える。反射面２０１ａおよび裏面２０２ａは、それぞれ平らである。具体的には、アルミニウム部材２０ａは、アルミニウムが主成分のアルミニウム板である。アルミニウムは、他の部材と比べて、紫外線の反射率が非常に高いという特性を持つ。その上、加工性、軽量性、強度および入手性が非常に高い。これらの観点から、反射部材２０として、アルミニウム部材２０ａが採用されている。なお、アルミニウムの純度は、例えば、９８％ある。アルミニウム部材２０ａの厚みは、例えば、０．５ｍｍである。
【００５０】
なお、図９に示す反射部材２０は、図１０に示すように構成されていてもよい。図１０の例では、アルミニウム部材２０ａの反射面２０１ａは、僅かにざらついていてもよい。ただし、紫外線の反射率を高めるためには、図９に示すように、反射面２０１ａおよび裏面２０２ａがそれぞれ平らであることが好ましい。反射面２０１ａがざらついている場合、乱反射によって、紫外線の反射率が下がりやすい。
【００５１】
１．７．捕虫器
図１１は、捕虫器２Ａの外観図である。図１１に示すように、捕虫器２Ａは、捕虫ユニット１に加え、第１光源３０ａ１と、第２光源３０ａ２と、筐体４０とを備える。
【００５２】
筐体４０は、台座部４１と、一対の第１コネクタ４２１と、一対の第２コネクタ４２２とを備える。台座部４１は、上方から見て、概ね長方形の形状を持っている。台座部４１（筐体４０）の素材は、主にスチールである。台座部４１は、捕虫ユニット１を積載するための場所である。図１１は、台座部４１の上に捕虫ユニット１が積載されている状態を表している。捕虫ユニット１は、台座部４０１に固定されていてもよいし、固定されていなくてもよい。例えば、筐体４０が壁に取り付けられる場合、捕虫ユニット１が筐体４０から落下しないように、アルミニウム部材２０ａの裏面２０２ａが台座部４１に固定される（図９参照）。更に、アルミニウム部材２０ａの反射面２０１ａも、紙１１の裏面１１２に固定される。なお、上述の固定には、例えば、両面テープが使われる。一方、筐体４０が床に対して平行な場所に取り付けられる場合、アルミニウム部材２０ａの裏面２０２ａが台座部４１に固定されなくてよい。同様に、アルミニウム部材２０ａの反射面２０１ａも、紙１１の裏面１１２に固定されなくてよい。両者が接触していれば十分である。
【００５３】
第１光源３０ａ１および第２光源３０ａ２は、それぞれ、紫外線を発光する光源であって、細長い円筒の形状を持つ。第１光源３０ａ１は、一対の第１コネクタ４２１に接続されている。第２光源３０ａ２は、一対の第２コネクタ４２２に接続されている。
【００５４】
詳細には、第１光源３０ａ１が第２光源３０ａ２と平行になるように、両者は、互いにＹ軸方向に離間している。第１光源３０ａ１および第２光源３０ａ２の各々は、捕虫ユニット１を照射できるように、台座部４１の上方にある。第１光源３０ａ１および第２光源３０ａ２の各々から粘着シート１０の粘着面１０１（粘着層１２の表面１２１）までの距離（Ｈ）は、例えば、Ｈ＝１．５ｃｍ±０．５ｃｍである。距離（Ｈ）が短い程、発生する青色光の照度が上がりやすい。その一方、距離（Ｈ）が１．５ｃｍより短いと、粘着層１２の劣化の進行が速くなるかもしれない。なお、第１光源３０ａ１および第２光源３０ａ２の各々は、ブラックライトであってもよい。
【００５５】
捕虫器２Ａの動作時には、第１光源３０ａ１および第２光源３０ａ２の各々が同時に紫外線を粘着シート１０に照射する。このことにより、青色光が発生する。
【００５６】
２．第２の実施の形態
光源として、指向性の高い紫外線ＬＥＤ（Light  Emitting  Diode）を用いることもできる。図１２は、捕虫器２Ｂの外観図である。
【００５７】
捕虫器２Ｂは、第１ＬＥＤソケット３１１と、第２ＬＥＤソケット３１２とを備える。第１ＬＥＤソケット３１１は、複数の第１紫外線ＬＥＤ３０ｂ１を具備する。第１ＬＥＤソケット３１１は、一対の第１コネクタ４２１に接続されている。第２ＬＥＤソケット３１２は、複数の第２紫外線ＬＥＤ３０ｂ２を具備する。第２ＬＥＤソケット３１２は、一対の第２コネクタ４２２に接続されている。
【００５８】
複数の第１紫外線ＬＥＤ３０ｂ１の各々は、第１ＬＥＤソケット３１１の長手方向に沿って等間隔に配置されている。同様に、複数の第２紫外線ＬＥＤ３０ｂ２の各々も、第２ＬＥＤソケット３１２の長手方向に沿って等間隔に配置されている。第１ＬＥＤソケット３１１に配置される第１紫外線ＬＥＤ３０ｂ１の個数は、任意である（例えば９個）。同様に、第２ＬＥＤソケット３１２に配置される第２紫外線ＬＥＤ３０ｂ２の個数も、任意である（例えば９個）。
【００５９】
紫外線ＬＥＤは、寿命が長く、消費電力は低いという特徴を持つ。その反面、紫外線ＬＥＤの指向性は、他の光源（例えば、ブラックライト）のものよりも高い。そのため、紫外線ＬＥＤを利用した場合、捕虫器の外部へ放射される紫外線の照度は、他の光源のものと比べて下がる。
【００６０】
そこで、複数の第１紫外線ＬＥＤ３０ｂ１は、それぞれ同じ方向に紫外線を照射する。複数の第２紫外線ＬＥＤ３０ｂ２も、それぞれ同じ方向に紫外線を照射する。ただし、前者の照射方向は、後者の照射方向と異なる。
【００６１】
照射方向について、図１３を参照しながら説明する。図１３は、図１２に示すＡ−Ａでの横断面図である。複数の第１紫外線ＬＥＤ３０ｂ１の各々は、粘着シート１０の粘着面１０１（粘着層１２の表面１２１）に向いている。つまり、各第１紫外線ＬＥＤ３０ｂ１は、粘着シート１０の粘着面１０１に紫外線を照射する。その照射方向は、Ｌ１で示されている。これに対し、複数の第２紫外線ＬＥＤ３０ｂ２の各々は、粘着シート１０の粘着面１０１の方向と反対の方向に向いている。つまり、各第２紫外線ＬＥＤ３０ｂ２は、捕虫器２Ｂの上方に向けて紫外線を照射する。その照射方向は、Ｌ２で示されている。
【００６２】
全ての紫外線ＬＥＤが粘着シート１０の粘着面１０１を照射する場合と比べると、発生する青色光の照度は下がる。その反面、複数の第２紫外線ＬＥＤ３０ｂ２が捕虫器２Ｂの上方に向けて紫外線を照射するので、捕虫能力が低下しにくい。
【００６３】
（変形例）
図１４は、紫外線ＬＥＤの配置の変形例を示す概略図である。図１４は、図１２に示すＡ−Ａでの横断面に対応している。第１ＬＥＤソケット３１１は、複数の第３紫外線ＬＥＤ３０ｂ３を更に備える。複数の第３紫外線ＬＥＤ３０ｂ３の各々は、捕虫器２Ｂの上方に向けて紫外線を照射する。その照射方向は、Ｌ３で示されている。第２ＬＥＤソケット３１２は、複数の第４紫外線ＬＥＤ３０ｂ４を更に備える。複数の第４紫外線ＬＥＤ３０ｂ４の各々は、粘着シート１０の粘着面１０１に向けて紫外線を照射する。その照射方向は、Ｌ４で示されている。
【００６４】
本変形例では、捕虫器の外部へ放射される紫外線の十分な照度を維持しつつ、青色光の照度も維持することができるという、効果が得られる。
【００６５】
３．第３の実施の形態
本実施の形態では、他のタイプの捕虫ユニットおよび捕虫器を例示する。図１５は、捕虫ユニット１Ｅの分解立体図である。図１６は、図１５に示す捕虫ユニット１Ｅの側面図である。図１６では、第１ローラホルダ５３１および第２ローラホルダ５３２が想像線で図示されている。孔部５４１、５４２の図示は、省略されている。
【００６６】
（巻き取り機構）
捕虫ユニット１Ｅは、基板５１と、粘着シート１０を一方向に巻き取るように構成された巻き取り機構とを更に備える。巻き取り機構は、第１ローラ５２１と、第２ローラ５２２と、第１ローラホルダ５３１と、第２ローラホルダ５３２とを備える。
【００６７】
基板５１は、粘着シート１０が載る板である。基板５１は、台あるいは載置部とも呼ばれる。基板５１は、粘着シート１０の粘着面１０１（粘着層１２の表面１２１）が露出された状態を保持する役割を持つ。基板５１の上方には、アルミニウム部材２０ａを介して粘着シート１０が存在する。つまり、反射部材（アルミニウム部材２０ａ）が粘着シート１０と基板５１の間に配置されている。図１５に示す粘着シート１０の領域ＲＥＧで、ハエが捕虫される。
【００６８】
基板５１の詳細は、次の通りである。基板５１は、長方形の板である。基板５１は、第１辺５１１と、第１辺５１１に対向する第２辺５１２と、第３辺５１３と、第３辺５１３に対向する第４辺５１４とを持つ。第１辺５１１と第２辺５１２とは、互いに平行である。第３辺５１３と第４辺５１４とは、互いに平行である。基板５１の強度を得るため、基板５１の厚みは、例えば、１ｍｍ以上、５ｍｍ以下である。基板５１の長さＤ１（長手方向）は、基板５１の幅Ｄ２よりも長い。基板５１は、例えば、合成樹脂で形成されている。基板５１、第１ローラホルダ５３１および第２ローラホルダ５３２が、例えば、同じ素材（例えば、合成樹脂）で一体形成されていてもよい。なお、辺の一部が欠けていてもよいし、曲がっていてもよい。
【００６９】
第１ローラ５２１は、その周囲に粘着シート１０の使用済みの部分（領域ＲＥＧを参照）を巻き取る役割を持つ。第１ローラ５２１は、第１ローラ軸Ｏ１を持ち、第１ローラ軸Ｏ１の回りに回転する。第１ローラ５２１の長さ（第１ローラ軸Ｏ１方向）は、基板５１の幅Ｄ２と概ね同じである。その長さが幅Ｄ２より若干長くてもよい。第１ローラ軸Ｏ１が第１辺５１１に対して平行となるように、第１ローラ５２１は、第１辺５１１に沿って配置されている。つまり、第１ローラ５２１は、第１辺５１１に対して平行である。第１ローラ５２１は、第１ローラホルダ５３１の一対の孔部５４１に挿入される。第１ローラ５２１は、第１ローラ軸Ｏ１の回りに、時計方向または反時計方向に回転する。粘着シート１０が第１ローラ５２１によって巻き取られるとき、第１ローラ５２１の回転方向は、反時計方向である。なお、「反時計方向」とは、Ｙ軸の負方向から正方向に見たときに、Ｙ軸の回りにＸ軸の正方向からＺ軸の正方向に回転する方向を指している（矢印を参照）。「時計方向」は、反時計方向の逆方向である。
【００７０】
第２ローラ５２２は、その周囲に粘着シート１０の未使用の部分を巻き取っている。第２ローラ５２２は、第２ローラ軸Ｏ２を持ち、第２ローラ軸Ｏ２の回りに回転する。第２ローラ５２２の長さ（第２ローラ軸Ｏ２方向）は、基板５１の幅Ｄ２と概ね同じである。その長さが幅Ｄ２より若干長くてもよい。第２ローラ軸Ｏ２が第２辺５１２に対して平行となるように、第２ローラ５２２は、第２辺５１２に沿って配置されている。つまり、第２ローラ５２２は、第２辺５１２に対して平行である。第２ローラ５２２は、第２ローラホルダ５３２の一対の孔部５４２に挿入される。第２ローラ５２２は、第２ローラ軸Ｏ２の回りに、時計方向または反時計方向に回転する。粘着シート１０が第１ローラ５２１によって巻き取られるとき、第２ローラ５２２の回転方向は、反時計方向である。
【００７１】
第１ローラホルダ５３１は、第１ローラ５２１と、第１ローラ５２１に巻き取られた粘着シート１０とを収納する。第１ローラホルダ５３１は、一対の孔部５４１と、一対の側面板５５１とを備える。第１ローラホルダ５３１は、Ｙ軸方向から見て、概ねＵ字の形状をしている。２つの孔部５４１は、第１ローラ５２１と、第１ローラ５２１に巻き取られた粘着シート１０とが収納されるように、２枚の側面板５５１の好適な位置にそれぞれ設けられている。２つの孔部５４１の各々の直径は、第１ローラ５２１の直径よりもわずかに大きい。第１ローラホルダ５３１は、基板５１の第１辺５１１に接続されている。第１ローラホルダ５３１自体は、例えば、合成樹脂で一体成型されている。
【００７２】
第２ローラホルダ５３２は、第２ローラ５２２と、第２ローラ５２２の周囲に巻かれている未使用の粘着シート１０とを収納する。第２ローラホルダ５３２は、一対の孔部５４２と、一対の側面板５５２とを備える。第２ローラホルダ５３２は、Ｙ軸方向から見て、概ねＵ字の形状をしている。２つの孔部５４２は、第２ローラ５２２と、第２ローラ５２２の周囲に巻かれている未使用の粘着シート１０とが収納されるように、２枚の側面板５５２の好適な位置にそれぞれ設けられている。２つの孔部５４２の各々の直径は、第２ローラ５２２の直径よりもわずかに大きい。第２ローラホルダ５３２は、基板５１の第２辺５１２に接続されている。第２ローラホルダ５３２自体は、例えば、合成樹脂で一体成型されている。
【００７３】
アルミニウム部材２０ａは、例えば、基板５１と同じ大きさを持つ。アルミニウム部材２０ａは、基板５１の上に配置されている。実用的には、アルミニウム部材２０ａの裏面２０２ａが基板５１の表面５０１に固定されていてもよい。具体的には、双方が互いに接着されている。アルミニウム部材２０ａと基板５１との接着には、例えば、両面テープが使用される。両面テープの代わりに、接着剤を用いてもよい。ただし、接着剤の接着力は、両者を人手で容易に剥がすことができる程度の接着力であればよい。このことにより、捕虫ユニット１Ｅの使用後、アルミニウム部材２０ａを粘着シート１０および巻き取り機構と分別することができる。このことは、不燃物と可燃物を分別して破棄することが必要な地域では、非常に便利である。
【００７４】
粘着シート１０の形状は、次の通りである。粘着シート１０は、第１端部１２３と、第１端部１２３と反対側の第２端部１２４とを備える。なお、ここで言う「端部」とは、粘着シート１０の長手方向に一定の幅（例えば、２ｍｍ以上、１０ｍｍ以下）を持っている。本実施の形態では、粘着シート１０は、ロール状に巻き取られる。そのため、図１７に示すように、第１端部１２３から第２端部１２４までの長さ、つまり、粘着シート１０の長さは、第１ローラ５２１から第２ローラ５２２までの距離Ｄ３よりも十分に長い。ただし、粘着シート１０の長さは、有限である。したがって、粘着シート１０の長さは、規定長（例えば、２ｍ）よりも短い。言うまでもなく、この規定長は、距離Ｄ３よりも十分に長い。粘着シート１０の幅は、一定である。本実施の形態では、例えば、粘着シート１０の幅は、基板５１の幅Ｄ２と同じである。
【００７５】
粘着シート１０は、その裏面１１２がアルミニウム部材２０ａの反射面２０１ａに対向するように、アルミニウム部材２０ａの上にある。つまり、粘着シート１０の粘着面１０１は露出している。第１端部１２３は、第１ローラ５２１に接着剤等で固定されている。第２端部１２４は、第２ローラ５２２に接着剤等で固定されている。紙１１の裏面１１２（粘着シート１０の裏面１０２）は、アルミニウム部材２０ａの反射面２０１ａに接している。ただし、両者は、互いに固定されていない。実際には、両者の間に、わずかな隙間が存在する。
【００７６】
（巻き取り動作）
巻き取り機構の動作（巻き取り動作という）は、次の通りである。初期の段階では、捕虫ユニット１Ｅが新品（未使用）であるとする。このとき、粘着シート１０の第１端部１２３は、第１ローラ５２１に固定されているものの、第１ローラ５２１は、その周囲に粘着シート１０を巻き取っていない。一方、第２ローラ５２２は、その周囲に粘着シート１０の一部を巻き取っている。
【００７７】
巻き取り動作時には、第１ローラ５２１が反時計方向に回転する。この回転に連動して、第２ローラ５２２も、反時計方向に回転する。このとき、第１ローラ５２１は、基板５１の長さＤ１の分だけ粘着シート１０を巻き取る。したがって、既に露出している粘着シート１０の部分（領域ＲＥＧを参照）が、アルミニウム部材２０ａの上を移動しながら第１ローラ５２１に巻き取られていく。そして、粘着シート１０の新しい部分が基板５１の上方に現れる。
【００７８】
なお、本実施の形態では、第１ローラ５２１および第２ローラ５２２の各々は、独立して回転することができる。しかしながら、本実施の形態では、上述のように、第２ローラ５２２の回転が、第１ローラ５２１の回転に連動している。それは、粘着シート１０の第１端部１２３および第２端部１２４が第１ローラ５２１および第２ローラ５２２にそれぞれ固定されているためである。つまり、これは、粘着シート１０が第１ローラ５２１の回転を第２ローラ５２２に伝達しているためである。このことにより、第２ローラ５２２が第１ローラ５２１の回転に連動して回転するための歯車、またはそのような部品が不要である。
【００７９】
（捕虫器ユニット）
図１７は、捕虫器２Ｃの分解立体図である。捕虫器２Ｃは、捕虫ユニット１Ｅと、紫外線を発光する光源３０ａと、筐体６０と、前面パネル６１と、駆動制御部６２とを備える。前面パネル６１は、窓６３を備える。
【００８０】
筐体６０は、捕虫ユニット１Ｅおよび光源３０ａを格納することができる大きさを持つ。筐体６０は、例えば、立方体の形状を有する。筐体６０の形状は、他の形状（例えば、円柱）でもよい。筐体６０の形状および前面パネル６１の形状は、美観を伴う形状であればよい。筐体６０は、例えば、合成樹脂で一体成型されている。筐体６０の内部には、捕虫ユニット１Ｅが取り付けられている。光源３０ａは、捕虫ユニット１Ｅの上方に取り付けられている。前面パネル６１は、筐体６０に対して容易に脱着することができるように構成されている。前面パネル６１も、例えば、合成樹脂で一体成型されている。窓６３は、前面パネル６１の一部に設けられている。窓６３は、発生した紫外線および青色光が筐体６０の外部に放射され、飛来してきたハエを筐体６０に誘引することができるように、十分な大きさを持つ。
【００８１】
駆動制御部６２について説明する。図１８は、駆動制御部６２の構成例を示すブロック図である。駆動制御部６２は、メモリ６２１と、マイクロコンピュータ６２２と、モータ６２３とを備える。駆動制御部６２は、巻き取り機構の動作を制御する。駆動制御部６２は、光源３０ａの点灯も制御する。メモリ６２１は、巻き取り動作に関する制御プログラムを格納している。マイクロコンピュータ６２２は、メモリから制御プログラムを読みだす。マイクロコンピュータ６２２は、読みだされた制御プログラムに基づいて、巻き取り機構の動作を制御する。そのとき、マイクロコンピュータ６２２は、巻き取り動作の期間、制御信号（例えば、ハイレベルの電圧）をモータ６２３に出力する。モータ６２３は、第１ローラ５２１に連結されている。モータ６２３は、その制御信号を受けている期間、第１ローラ５２１を反時計方向に回転させる。その回転速度は、概ね一定である。
【００８２】
捕虫器２Ｃの動作について説明する。捕虫器２Ｃは、通常モードと、巻き取りモードとを備える。通常モードでは、光源３０ａが紫外線を粘着シート１０の粘着面１０１に照射している。このとき、粘着シート１０によって発生した紫外線および青色光が前面パネル６１の窓６３から放射される。捕虫器２Ｃの周囲を飛んでいるハエは、紫外線または青色光に誘引されて窓６３に入る。やがて、そのハエは、粘着シート１０に捕虫される。
【００８３】
巻き取りモードは、粘着シート１０を自動的に巻き取るためのモードである。巻き取りモードは、一定数（任意）以上のハエが捕虫されたときに実行される。あるいは、巻き取りモードは、一定時間（例えば、２４時間）ごとに実行されてもよい。巻き取りモードが実行されたとき、捕虫器２Ｃは、次のように動作する。マイクロコンピュータ６２２が、巻き取り動作の期間、制御信号をモータ６２３に出力する。その制御信号を受けている期間、モータ６２３は、第１ローラ５２１を反時計方向に回転させる。そして、第１ローラ５２１が、反時計方向に回転する。この回転に連動して、第２ローラ５２２も、反時計方向に回転する。両者の回転速度は、概ね一定である。このことにより、既に露出している粘着シート１０の部分（領域ＲＥＧを参照）が、アルミニウム部材２０ａの上を移動しながら第１ローラ５２１に巻き取られていく。そして、粘着シート１０の新しい部分が現れる。
【００８４】
捕虫器２Ｃは、基板５１と、巻き取り機構（第１ローラ５２１、第２ローラ５２２、第１ローラホルダ５３１、第２ローラホルダ５３２）と、駆動制御部６２とを備えている。この構成により、粘着シート１０が自動的に巻き取られる。これは、非常に便利である。その上、捕虫能力が長時間持続するという効果が得られる。
【００８５】
なお、光源３０ａは、ブラックライトであってもよいし、紫外線ＬＥＤであってもよい。紫外線ＬＥＤが用いられる場合は、図１３または図１４に示すように、紫外線ＬＥＤを配置することができる。巻き取り機構が手動で動作するように、捕虫器２Ｃを構成してもよい。この他、モータ６２３のオン・オフを手動で制御することができるように、巻き取り機構が構成されていてもよい。この場合、巻き取り機構がモータ６２３を備えていればよい。
【００８６】
４．第４の実施の形態
本実施の形態では、他のタイプの捕虫ユニットを例示する。図１９は、捕虫ユニット１Ｆの断面図である。図１９に示すように、反射部材としてアルミニウム箔２０ｂが使用されている。アルミニウム箔２０ｂの厚さは、例えば、５μｍ以上、１５μｍ以下である。アルミニウム箔２０ｂの反射面２０１ｂは、紙１１の裏面１１２に固定されている。より具体的には、双方が互いに接着されている。
【００８７】
アルミニウム箔２０ｂの厚さは、上述のアルミニウム部材２０ａと比べてはるかに薄い。したがって、捕虫ユニット１Ｆは、第３の実施の形態の巻き取り機構に好適に適用可能である。捕虫ユニット１Ｆを巻き取り機構と組み合わせた場合は、上述のアルミニウム部材２０ａを基板５１の上に配置する必要がない。アルミニウム箔２０ｂを使用しても、第３の実施の形態と同様の効果が得られる。無論、本実施の形態を第１または第２の実施の形態と組み合わせてもよい。
【００８８】
本発明の趣旨を逸脱しない範囲内で、本発明に種々の変更を加えることができる。矛盾が生じない限り、実施の形態の全ておよび変形例の全てを好適に組み合わせることができる。
【００８９】
本出願は、２０１４年９月９日に出願された日本国特許出願第２０１４−１８３５４５号を基礎とする優先権を主張し、当該基礎出願の開示の全てを引用により本出願に取り込む。
【図１】
2016039390.tif 000003
【図２】
2016039390.tif 000004
【図３】
2016039390.tif 000005
【図４】
2016039390.tif 000006
【図５】
2016039390.tif 000007
【図６】
2016039390.tif 000008
【図７】
2016039390.tif 000009
【図８】
2016039390.tif 000010
【図９】
2016039390.tif 000011
【図１０】
2016039390.tif 000012
【図１１】
2016039390.tif 000013
【図１２】
2016039390.tif 000014
【図１３】
2016039390.tif 000015
【図１４】
2016039390.tif 000016
【図１５】
2016039390.tif 000017
【図１６】
2016039390.tif 000018
【図１７】
2016039390.tif 000019
【図１８】
2016039390.tif 000020
【図１９】
2016039390.tif 000021
【手続補正書】
【提出日】平成29年3月6日(2017.3.6)
【手続補正１】
【補正対象書類名】特許請求の範囲
【補正対象項目名】全文
【補正方法】変更
【補正の内容】
【特許請求の範囲】
【請求項１】
蛍光増白剤を含み、紫外線に対して透過性を持つ粘着シートと、
前記粘着シートを透過した紫外線を、前記粘着シートを再度透過する方向に反射するように配置された反射部材と
を備え、
前記粘着シートは、
粘着面と、
前記粘着面の反対側にある裏面と
を備え、
前記反射部材は、前記粘着シートの前記裏面に対向している
捕虫ユニット。
【請求項２】
前記粘着シートは、
前記蛍光増白剤を含み、前記紫外線に対して透過性を持つ紙であって、前記粘着シートの基体であるシートを構成する前記紙と、
粘着層と
で構成され、
前記紙は、
前記粘着シートの前記粘着面を形成するための第１面と、
前記粘着シートの前記裏面である第２面と
を備え、
前記粘着層は、前記第１面上にある
請求項１に記載の捕虫ユニット。
【請求項３】
前記反射部材は、アルミニウム部材である
請求項１または２に記載の捕虫ユニット。
【請求項４】
前記反射部材は、アルミニウム箔であり、
前記アルミニウム箔は、前記粘着シートの前記裏面に固定されている
請求項１に記載の捕虫ユニット。
【請求項５】
コーティング層を更に備え、
前記コーティング層は、前記紙の前記第１面と前記粘着層との間にある
請求項２から４のいずれか一に記載の捕虫ユニット。
【請求項６】
前記粘着シートが載る基板と、
前記基板に載っている前記粘着シートを一方向に巻き取るように構成された巻き取り機構と
を更に備え、
前記反射部材は、前記粘着シートと前記基板の間に配置されている
請求項１から５のいずれか一に記載の捕虫ユニット。
【請求項７】
前記基板は、４つの辺を備え、前記４つの辺の内の第１辺と前記第１辺に対向する第２辺とが互いに平行であり、
前記巻き取り機構は、
第１ローラ軸を持つ第１ローラであって、前記第１ローラ軸が前記第１辺に対して平行となるように、前記第１辺に沿って配置されている前記第１ローラと、
第２ローラ軸を持つ第２ローラであって、前記第２ローラ軸が前記第２辺に対して平行となるように、前記第２辺に沿って配置されている前記第２ローラと
を備え、
前記粘着シートは、
第１端部と
前記第１端部と反対側の第２端部と
を備え、
前記第１端部から前記第２端部までの長さは、前記第１ローラから前記第２ローラまでの距離よりも長く、かつ規定長よりも短く、
前記第１端部は、前記第１ローラに固定されており、
前記第２端部は、前記第２ローラに固定されている
請求項６に記載の捕虫ユニット。
【請求項８】
請求項１から７のいずれか一項に記載の捕虫ユニットと、
紫外線を発光する光源と
を備え、
前記粘着シートは、前記光源からの前記紫外線を受光できるように、前記光源と前記反射部材との間に配置されており、
前記光源は、前記粘着シートの前記粘着面を照射する
捕虫器。
【請求項９】
前記光源は、
第１照射方向を持つ第１光源と、
第２照射方向を持つ第２光源と
を含み、
前記第１照射方向は、前記第１光源が前記粘着シートの前記粘着面を照射する方向であり、
前記第２照射方向は、前記第１照射方向と異なる
請求項８に記載の捕虫器。
【請求項１０】
前記光源は、紫外線ＬＥＤ（Light  Emitting  Diode）である
請求項８または９に記載の捕虫器。
【国際調査報告】
2016039390.tif 000022
2016039390.tif 000023
2016039390.tif 000024
2016039390.tif 000025